(57)【要約】      （修正有）【課題】利用者のデータをより利用しやすくすることによって、クラウドサービスの利便性が向上し、特に企業におけるユーザーのクラウドサービスの利用の促進に寄与するシステムを提供する。【解決手段】ユーザーから送信されたデータをキー値によってグルーピングし、そのグループに含まれるデータをまとめてウェブページとしてユーザーに提示することで、クラウドサービスの利用向上を図る。【選択図】図１
2013131089.tif 000002
【特許請求の範囲】
【請求項１】
クラウドサービスを支援するシステムであって、ユーザーから受信したデータを、他のクラウドサーバへ送信する機能と、このデータに対するキー値を記録、保存する機能と、このキー値によって、データをグルーピングする機能と、このグルーピングしたデータを表示するウェブページを作成する機能を有することを特徴とするクラウドシステム。
【請求項２】
前記キー値は、ユーザが送信したデータの送信日であることを特徴とする請求項１項記載のクラウドシステム。
【請求項３】
前記キー値は、ユーザが送信したデータの送信日及び送信した場所の位置情報であることを特徴とする請求項１項記載のクラウドシステム。
【請求項４】
ユーザー毎に文字入力が可能なカレンダー表示機能を有し、前記グルーピングしたデータを表示するウェブページを表すアイコン画像を、このカレンダーに表示することを特徴とする請求項１項記載のクラウドシステム。
【発明の詳細な説明】
【技術分野】
【０００１】
本発明は、ネットワークストレージサービスに関するものであって、特にネットワークを介して記録されたデータの管理、表示システムに関するものである。
【背景技術】
【０００２】
従来、いわゆるクラウドサービスが行われている。これは、写真データや文書データをクラウドサーバに記録、保存することで、パソコンやスマートフォン等の種類の異なる端末装置で、その保存された写真データや文書データを閲覧可能としたものである。
【０００３】
特開２０１１−１８２０３１号には、クラウドサービスをユーザーが容易に利用できるようにクラウド選択支援サーバを用いるシステムが記載されている。
また、特開２０１１−３１８７号には、クライアントがクラウドサーバーを意識することなく利用することができるように支援する仲介サーバー及び方法が記載されている。
【０００４】
【特許文献１】特開２０１１−１８２０３１号
【特許文献２】特開２０１１−３１８７号
【発明の開示】
【発明が解決しようとする課題】
【０００５】
これらの従来のクラウド支援システムにおいては、いずれもクラウドを利用するための煩雑な手続きや操作を、他のサーバーの支援によって、容易にすることについて記載されている。
しかしながら、一般的なクラウドサービスは、種々の検索機能を提供するだけであり、データ検索に不慣れなユーザーにとっては、クラウドサーバーへのデータの転送などの操作が容易となっただけでは、単にデータの保存場所が増えるだけでしかない。
【０００６】
特に、会社などでの利用を考えた場合、単に資料を保存する場所が外部のサービス業者のサーバーになるだけでは、利用する必要性が生じない。
また、サービスを利用するにしても、結局データを保存するだけで、その後そのデータを有効活用できないこととなる。
【課題を解決するための手段】
【０００７】
上記課題を解決するため、本発明は、請求項１に記載するように、クラウドサービスを支援するシステムであって、ユーザーから送られてきたデータを、他のクラウドサーバへ転送するデータ送受信機能と、前記ユーザーから送られたデータの送信日時を記録する機能と、この送信日時によって、データをグルーピングする機能と、このグルーピングしたデータをウェブページとして表示する機能を有することを特徴としている。
【０００８】
また、請求項４に記載するように、ユーザー毎に文字入力が可能なカレンダー表示機能を有し、前記グルーピングしたデータを表示するウェブページの縮小サムネール画像を、このカレンダーに表示することを特徴としている。
【発明の効果】
【０００９】
本発明によれば、ユーザーから送信されたデータをキー値によってグルーピングし、そのグループに含まれるデータをまとめてウェブページとしてユーザーに提示することで、クラウドサービスの利用向上を図ることが可能となる。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例を示す正面図である。
１はクラウドサーバーであり、本発明のクラウドサービスを提供するものである。
２は他のクラウドサービスであり、例えば各ユーザーから送信される文書や写真画像などを記録保存し、種々のウェブアプリケーションを提供するものである。３はクラウドサーバー１に接続されるユーザーのパソコン、４はクラウドサーバー１に無線接続されるユーザーのスマートフォン、５はネットワーク接続され或いはパソコン３やスマートフォン４と無線接続された電子黒板である。
【００１２】
パソコン３で作成された文書、スマートフォン４で撮影された写真データ、及び電子黒板５で読み取られた筆記データを、ユーザーがクラウドサーバー１に送信した場合、このクラウドサーバー１では、その送信されたユーザー登録番号に基づいて、送信日時と、送信されてきた場所データを前記の受信文書データ等のキー値として、サーバー１内に記録保持すると共に、受信文書データ等はグルーピングされると共に、これらのデータをまとめて表示するためのウェブページが作成される。また、受信文書データ等を、他のクラウドサーバ２へ転送し、その転送先のリンクデータが記録保持される。
【００１３】
更にクラウドサーバー１には、各ユーザー毎のカレンダーが設けられている。
このカレンダーは、文字の記入が可能であると共に、前述のウェブページを縮小したサムネール画像或いは予め設けられた画像（以下アイコン画像という）が、その送信された日付の欄に表示される。このアイコン画像をパソコンの場合はマウスでクリック、或いはスマートフォンの場合は指でタッチした場合、そのウェブページが表示される。
【００１４】
図２に２０１１年１０月のカレンダー６の一部を示す。
ユーザーがカレンダー６の２０１１年１０月６日の欄に営業会議と入力しており、この日に稲城市の所定の場所から、文書データ、画像データ、筆記データなどが順次送信された場合、これらのデータはグルーピングされ、そのデータへのリンク情報が掲載されたウェブページが作成される。このウェブページの名称は営業会議とされ、またこのウェブページへのリンク情報が付加されたアイコン画像７が、１０月６日の欄に表示される。
ユーザーがアイコン画像７をマウスクリックなどした場合、ウェブページが表示され、そのウェブページ上に掲載されたデータへのアクセス用情報をマウスクリックした場合、そのデータが表示される。
尚、アクセス用情報とは、文書データ、画像データ、或いは筆記データなどを縮小したサムネール画像である。
【００１５】
このカレンダー６は、他のウェブアプリケーションのカレンダーと同期を取ることが可能であり、他のウェブアプリケーションのカレンダーに入力したデータは、本カレンダー６にも表示され、或いは本カレンダー６に入力したデータは、他のウェブアプリケーションのカレンダーにも表示される。
【００１６】
以上の処理プロセスの詳細を図３に示す。
ユーザーから順次クラウドサーバー１に送信される文書データ等は、ユーザー認証後に、クラウドサーバー１で受信される（図中のプロセス１０）。
これらの受信された文書データ等には、受信した日付、時間データ、送信された場所データ等が付加されると共に、受信された文書データ等の情報は、各ユーザー毎のデータベース上に、受信日付データ、時間データ、受信場所データをキー値として登録される（図中のプロセス１１）。
上述の受信日付データ、受信場所データをキーワードとして、ユーザーのカレンダーを検索する。
このカレンダーに受信日付、時間、場所が記入され、かつタイトルが記入されている場合には、このタイトルは、前述のユーザー毎のデータベースに登録される（図中のプロセス１２）。
尚、同一のユーザーから送信された文書データ等の受信時間が一定の範囲内であって、一定の範囲内の場所から送信されたものである場合は、これらの文書データ等は、同一のグループ内にあるものとしてグルーピングされ、グループ番号が文書データ等に付加されると共に、前述のユーザー毎のデータベースに登録される。
グルーピングされた文書データ等については、縮小されたサムネール画像が作成されると共に、ユーザーのウェブページが作成され、このウェブページに、前記縮小されたサムネル画像が表示されるように登録される（図中のプロセス１３）。
受信された文書等のデータは、ユーザーの選択した他のクラウドサーバー又は、予め設定してある他のクラウドサーバーに送信される（図中のプロセス１４）
その送信先のアドレスが、前述のユーザー毎のデータベースに登録されると共に、ウェブページにも前述のキー値と共に登録される（図中のプロセス１５）。
カレンダー６に、その文書データ等に対応する記述がある場合には、そのカレンダー６に、ウェブページのサムネール画像（アイコン画像）が登録される（図中のプロセス１６）。
【００１７】
ユーザーが、クラウドサーバー１にアクセスした場合は、そのユーザーの認証後に、ユーザーのパソコン３やスマートフォン４にカレンダー６が表示され、そのカレンダー６のアイコン画像を、マウスクリック或いは、指でタッチした場合は、ユーザーの前述のホームページが表示される。
そのホームページに表示されたサムネール画像をクリックすると、そのサムネール画像に対応した文書データなどが表示される。
【００１８】
本発明は、上述の実施例に限定されるものではなく、例えば、尚、ユーザーの端末としては、インターネットに接続されているものであれば、デジタルカメラ、タブレット、携帯電話、ボイスレコーダー、或いは文書スキャナーからの送信データであっても、同じ送信日時、同じ送信場所である場合はグルーピングされる。
更に、キー値は、送信日時、送信場所に限定されるものではなく、ユーザーが個別に設定可能としてもよい。
尚、文書データ、画像データ等が、グループを形成しない単体の場合は、その単体のデータではホームページを形成せず、それぞれのリンク先を表すアイコンをカレンダー６に表示してもよい。
【産業上の利用可能性】
【００１９】
本発明は、クラウドサービスの支援用システムであって、利用者のデータをより利用しやすくすることによって、クラウドサービスの利便性が向上し、特に企業におけるユーザーのクラウドサービスの利用の促進に寄与するものである。
【図面の簡単な説明】
【００２０】
【図１】図１は、本発明の実施例の形態に係るシステム構成を示す図である。
【図２】図２は、本発明の実施例のカレンダーの一部を示す図である。
【図３】図３は、本発明の実施例のシステムの動作を示す図である。
【符号の説明】
【００２１】
１：クラウドサーバー
２：他のクラウドサーバー
３：パソコン
４：スマートフォン
６：カレンダー
７：サムネール画像
【図１】
2013131089.tif 000003
【図２】
2013131089.tif 000004
【図３】
2013131089.tif 000005